【手続補正書】
【提出日】平成21年8月28日(2009.8.28)
【手続補正１】
【補正対象書類名】特許請求の範囲
【補正対象項目名】全文
【補正方法】変更
【補正の内容】
【特許請求の範囲】
【請求項１】
ノイズキャンセル信号生成手段及び音声信号再生手段を有する外部機器に設けられたジャックに連結されると共に音声入出力装置に設けられた第１のマイク、第２のマイク、第１のスピーカー及び第２のスピーカーに接続されるプラグであって、
第１のマイクに入力される第１のノイズ信号を外部機器に伝送する第１の導体と、
第２のマイクに入力される第２のノイズ信号を外部機器に伝送する第２の導体と、
第１のノイズ信号に基づいてノイズキャンセル信号生成手段によって生成された第１のノイズキャンセル信号と音声信号再生手段によって再生された第１の音声信号とが合成された第１の合成信号を第１のスピーカーに伝送する第３の導体と、
グランド用の第４の導体と、
第２のノイズ信号に基づいてノイズキャンセル信号生成手段によって生成された第２のノイズキャンセル信号と音声信号再生手段によって再生された第２の音声信号とが合成された第２の合成信号を第２のスピーカーに伝送する第５の導体とを備えた
ことを特徴とするプラグ。
【請求項２】
上記第１の導体、第２の導体及び第３の導体にそれぞれ電極部と嵌合部を設け、
第１の導体を軸状に形成し、
該第１の導体の嵌合部に外嵌された第１の絶縁体を設け、
該第１の絶縁体に第２の導体を外嵌し、
該第２の導体の嵌合部に外嵌された第２の絶縁体を設け、
該第２の絶縁体に第３の導体を外嵌し、
該第３の導体の嵌合部に外嵌された第３の絶縁体を設け、
該第３の絶縁体に第４の導体を外嵌し、
該第４の導体の外面の一部に取り付けられた第４の絶縁体を設け、
該第４の絶縁体の外面に第５の導体を取り付けた
ことを特徴とする請求項１に記載のプラグ。
【請求項３】
上記第５の導体を板状に形成し、厚み方向における一方の面を第４の絶縁体に取り付けた
ことを特徴とする請求項２に記載のプラグ。
【請求項４】
上記第５の導体に第４の絶縁体の外面の反対方向へ突出された接続用突部を設けた
ことを特徴とする請求項２に記載のプラグ。
【請求項５】
上記第４の絶縁体と第５の導体以外の部分によって略丸軸状に形成し、
第４の絶縁体と第５の導体を略丸軸状の部分の外面に配置した
ことを特徴とする請求項２に記載のプラグ。
【請求項６】
一対の耳介にそれぞれ装着される一対の耳介装着部と該一対の耳介装着部に接続コードを介して接続されたプラグとを備え該プラグがノイズキャンセル信号生成手段及び音声信号再生手段を有する外部機器に設けられたジャックに連結される音声入出力装置であって、
一方の耳介装着部に第１のマイクと第１のスピーカーが内蔵され、
他方の耳介装着部に第２のマイクと第２のスピーカーが内蔵され、
上記プラグに、
第１のマイクに入力される第１のノイズ信号を外部機器に伝送する第１の導体と、
第２のマイクに入力される第２のノイズ信号を外部機器に伝送する第２の導体と、
第１のノイズ信号に基づいてノイズキャンセル信号生成手段によって生成された第１のノイズキャンセル信号と音声信号再生手段によって再生された第１の音声信号とが合成された第１の合成信号を第１のスピーカーに伝送する第３の導体と、
グランド用の第４の導体と、
第２のノイズ信号に基づいてノイズキャンセル信号生成手段によって生成された第２のノイズキャンセル信号と音声信号再生手段によって再生された第２の音声信号とが合成された第２の合成信号を第２のスピーカーに伝送する第５の導体とを設けた
ことを特徴とする音声入出力装置。
【請求項７】
一対の耳介装着部がそれぞれ一対の耳介に装着された状態において、第１のマイクと第２のマイクをそれぞれ第１のスピーカーと第２のスピーカーより鼓膜に対して外側に配置した
ことを特徴とする請求項６に記載の音声入出力装置。
【請求項８】
第１の導体、第２の導体及び第３の導体にそれぞれ電極部と嵌合部を設け、
第１の導体を軸状に形成し、
該第１の導体の嵌合部に外嵌された第１の絶縁体を設け、
該第１の絶縁体に第２の導体を外嵌し、
該第２の導体の嵌合部に外嵌された第２の絶縁体を設け、
該第２の絶縁体に第３の導体を外嵌し、
該第３の導体の嵌合部に外嵌された第３の絶縁体を設け、
該第３の絶縁体に第４の導体を外嵌し、
該第４の導体の外面の一部に取り付けられた第４の絶縁体を設け、
該第４の絶縁体の外面に第５の導体を取り付けた
ことを特徴とする請求項６に記載の音声入出力装置。
【請求項９】
上記第５の導体を板状に形成し、厚み方向における一方の面を第４の絶縁体に取り付けた
ことを特徴とする請求項８に記載の音声入出力装置。
【請求項１０】
上記第５の導体に第４の絶縁体の外面の反対方向へ突出された接続用突部を設けた
ことを特徴とする請求項８に記載の音声入出力装置。
【請求項１１】
上記第４の絶縁体と第５の導体以外の部分によって略丸軸状に形成し、
第４の絶縁体と第５の導体を略丸軸状の部分の外面に配置した
ことを特徴とする請求項８に記載の音声入出力装置。
【請求項１２】
音声入出力装置に設けられ一対の耳介がそれぞれ装着される一対の耳介装着部にそれぞれ内蔵された第１のマイクと第２のマイクに各別に入力される第１のノイズ信号と第２のノイズ信号をキャンセルするノイズキャンセルシステムであって、
音声入出力装置に、一対の耳介装着部に接続コードを介して接続され外部機器に連結される５極構成のプラグが設けられ、
外部機器に、プラグが連結されるジャックと、第１のノイズ信号及び第２のノイズ信号に基づいてそれぞれ第１のノイズキャンセル信号及び第２のノイズキャンセル信号を生成するノイズキャンセル信号生成手段と、少なくとも音声信号を記憶する記憶手段と、該記憶手段に記憶された音声信号を第１の音声信号及び第２の音声信号として再生する音声信号再生手段と、第１のノイズキャンセル信号と第１の音声信号を合成して第１の合成信号を生成すると共に第２のノイズキャンセル信号と第２の音声信号を合成して第２の合成信号を生成する合成手段とが設けられ、
上記５極構成のプラグに、第１のマイクに入力される第１のノイズ信号を外部機器に伝送する第１の導体と、第２のマイクに入力される第２のノイズ信号を外部機器に伝送する第２の導体と、第１の合成信号を第１のスピーカーに伝送する第３の導体と、グランド用の第４の導体と、第２の合成信号を第２のスピーカーに伝送する第５の導体とが設けられ、
第１のノイズキャンセル信号を含む第１の合成信号を第１のスピーカーから出力すると共に第２のノイズキャンセル信号を含む第２の合成信号を第２のスピーカーから出力してノイズをキャンセルするようにした
ことを特徴とするノイズキャンセルシステム。
【請求項１３】
上記外部機器にプラグのジャックに対する連結状態を検出するプラグ検出手段を設け、
５極構成のプラグがジャックに連結されたときに上記ノイズのキャンセル機能が実行されるようにした
ことを特徴とする請求項１２に記載のノイズキャンセルシステム。
【請求項１４】
５極構成のプラグがジャックに連結されていることがプラグ検出手段によって検出されたときに、ノイズのキャンセル機能が実行される旨が表示されるようにした
ことを特徴とする請求項１２に記載のノイズキャンセルシステム。
【請求項１５】
第１のマイクと第２のマイクをそれぞれ第１のスピーカーと第２のスピーカーより外側に配置した
ことを特徴とする請求項１２に記載のノイズキャンセルシステム。